(57)【要約】      （修正有）【課題】棚板のダボからの脱落を阻止することができる棚板取付具、及び該棚板取付具を備える棚装置を提供する。【解決手段】棚板取付具１４は、下方が開口し、ダボ２６が挿入される上下方向のダボ挿入溝４２と、ダボ挿入溝４２の下方の開口を塞ぐことで該ダボ挿入溝４２の下方からのダボ２６の脱落を阻止する蓋部材３４とを備える。ダボ２６の外面には、くびれ部２６ｃが設けられる一方、棚板取付具１４には、ダボ挿入溝４２に挿入されたダボ２６が少なくとも棚板から離間する方向に移動した際にダボ２６のくびれ部２６ｃを係止し、ダボ挿入溝４２からのダボ２６の脱落を阻止するリブ４２ｂが設けられている。【選択図】図３
2015012925.tif 000002
【特許請求の範囲】
【請求項１】
下方が開口し、ダボが挿入される上下方向のダボ挿入溝と、前記ダボ挿入溝の下方の開口を塞ぐことで該ダボ挿入溝の下方からのダボの脱落を阻止する蓋部材とを備え、棚板に設置されることにより、棚装置の側板の内側面より突出する前記ダボと係合し、左右の側板間に棚板を架設する棚板取付具であって、
前記ダボの外面には、凸部又は凹部が設けられ、
当該棚板取付具は、前記ダボ挿入溝に挿入されたダボが少なくとも棚板から離間する方向に移動した際に前記凸部又は前記凹部を係止し、前記ダボ挿入溝から前記離間する方向へのダボの脱落を阻止する凹部又は凸部を有することを特徴とする棚板取付具。
【請求項２】
請求項１記載の棚板取付具において、
前記ダボの凹部は、該ダボの外周面を周方向に窪ませたくびれ部であり、
当該棚板取付具の凸部は、前記ダボ挿入溝の内面から内側に突出し、前記くびれ部と係合可能なリブであることを特徴とする棚板取付具。
【請求項３】
請求項１又は２記載の棚板取付具において、
当該棚板取付具は、前記棚板の下面に形成された取付穴に嵌入されることで棚板に設置されるものであり、
前記取付穴に嵌入された状態で、前記ダボの突出方向への移動を規制する規制部位を有することを特徴とする棚板取付具。
【請求項４】
請求項３記載の棚板取付具において、
前記取付穴には、円弧状部位が形成され、
当該棚板取付具は、前記取付穴に嵌入可能な円弧状部位を有することを特徴とする棚板取付具。
【請求項５】
少なくとも左右一対の側板を有し、前記側板の内側面から突出するダボによって左右の側板間に架設される棚板を備える棚装置であって、
前記棚板には、下方が開口し、ダボが挿入される上下方向のダボ挿入溝と、前記ダボ挿入溝の下方の開口を塞ぐことで該ダボ挿入溝の下方からのダボの脱落を阻止する蓋部材とを有する棚板取付具が設けられ、
前記ダボの外面には、凸部又は凹部が設けられ、
前記棚板取付具は、前記ダボ挿入溝に挿入されたダボが少なくとも棚板から離間する方向に移動した際に前記凸部又は前記凹部を係止し、前記ダボ挿入溝から前記離間する方向へのダボの脱落を阻止する凹部又は凸部を有することを特徴とする棚装置。
【発明の詳細な説明】
【技術分野】
【０００１】
本発明は、書棚等において左右の側板間に棚板を架設する際に用いられる棚板取付具、及び該棚板取付具を備える棚装置に関する。
【背景技術】
【０００２】
従来より書棚や机等で用いられ、所望の高さ位置に着脱可能な棚板では、左右の側板の内側面にダボを固定し、このダボの突出部分に棚板を載置するものが一般的である。ところが、これらの構造では、ダボ上に棚板を載置しているだけのため、下からの押上げ等、特定方向の荷重で棚板が外れてしまうことがある。
【０００３】
そこで、特許文献１，２には、棚板の外れを防止するために、棚板の裏に樹脂製の棚板取付具を埋設する構成が開示されている。この棚板取付具は、ダボが挿入されるダボ挿入溝の開口をスライド可能な蓋部材でロックすることにより、棚板が上下方向に移動した際のダボの抜け止めを図り、棚板の外れを防止している。
【先行技術文献】
【特許文献】
【０００４】
【特許文献１】特開２００６−１３０１７９号公報
【特許文献２】特開２０１０−１６２号公報
【発明の概要】
【発明が解決しようとする課題】
【０００５】
ところが、上記特許文献１，２の構成においても、例えば、書棚を移動させる際等に側板が外側方向の荷重を受けて側板が大きく撓むと、側板と棚板との間に隙間を生じ、棚板がダボから脱落する可能性がある。従来の棚板取付具では、蓋部材によって上下方向のダボの抜け止めがなされているものの、左右方向の抜け止めはなされていないからである。
【０００６】
本発明は、上記従来技術の課題を考慮してなされたものであり、棚板のダボからの脱落を阻止することができる棚板取付具、及び該棚板取付具を備える棚装置を提供することを目的とする。
【課題を解決するための手段】
【０００７】
本発明に係る棚板取付具は、下方が開口し、ダボが挿入される上下方向のダボ挿入溝と、前記ダボ挿入溝の下方の開口を塞ぐことで該ダボ挿入溝の下方からのダボの脱落を阻止する蓋部材とを備え、棚板に設置されることにより、棚装置の側板の内側面より突出する前記ダボと係合し、左右の側板間に棚板を架設する棚板取付具であって、前記ダボの外面には、凸部又は凹部が設けられ、当該棚板取付具は、前記ダボ挿入溝に挿入されたダボが少なくとも棚板から離間する方向に移動した際に前記凸部又は前記凹部を係止し、前記ダボ挿入溝から前記離間する方向へのダボの脱落を阻止する凹部又は凸部を有することを特徴とする。
【０００８】
また、本発明に係る棚装置は、少なくとも左右一対の側板を有し、前記側板の内側面から突出するダボによって左右の側板間に架設される棚板とを備える棚装置であって、前記棚板には、下方が開口し、ダボが挿入される上下方向のダボ挿入溝と、前記ダボ挿入溝の下方の開口を塞ぐことで該ダボ挿入溝の下方からのダボの脱落を阻止する蓋部材とを有する棚板取付具が設けられ、前記ダボの外面には、凸部又は凹部が設けられ、前記棚板取付具は、前記ダボ挿入溝に挿入されたダボが少なくとも棚板から離間する方向に移動した際に前記凸部又は前記凹部を係止し、前記ダボ挿入溝から前記離間する方向へのダボの脱落を阻止する凹部又は凸部を有することを特徴とする。
【０００９】
このような構成によれば、ダボの外面に凸部又は凹部を設け、棚板取付具にダボが少なくとも棚板から離間する方向に移動した際にダボの凸部又は凹部を係止し、ダボ挿入溝からのダボの脱落を阻止する凹部又は凸部を設けている。これにより、蓋部材によりダボ挿入溝の開口をロックしてダボの上下方向への抜け止めがなされると同時に、ダボの凸部又は凹部と棚板取付具の凹部又は凸部との係止作用によりダボの左右方向への抜け止めがなされる。従って、ダボが棚板取付具に対して相対的に上下左右方向に移動した場合であっても、その脱落を確実に阻止することができる。このため、例えば、棚装置を移動させる際等に側板に外側方向の荷重が付与され、側板が大きく撓み、側板と棚板の側端面との間に隙間を生じようとする場合であっても、ダボが棚板取付具から脱落することが防止され、棚板が側板から外れることを防止できる。
【００１０】
前記ダボの凹部は、該ダボの外周面を周方向に窪ませたくびれ部であり、当該棚板取付具の凸部は、前記ダボ挿入溝の内面から内側に突出し、前記くびれ部と係合可能なリブであると、例えば、くびれ部を有する汎用のダボを有効に利用して、棚板の外れを防止することができる。
【００１１】
当該棚板取付具は、前記棚板の下面に形成された取付穴に嵌入されることで棚板に設置されるものであり、前記取付穴に嵌入された状態で、前記ダボの突出方向への移動を規制する規制部位を有すると、棚板取付具にダボからの引き寄せ荷重が付与された場合であっても、円弧状部位によって取付穴から棚板取付具が脱落することを阻止することができる。この場合、前記取付穴には、円弧状部位が形成され、当該棚板取付具は、前記取付穴に嵌入可能な円弧状部位を有する構成とすると、棚板への取付穴の加工が容易であり製造コストを抑えることができる。
【発明の効果】
【００１２】
本発明によれば、蓋部材によりダボ挿入溝の開口をロックしてダボの上下方向への抜け止めがなされると同時に、ダボの凸部又は凹部と棚板取付具の凹部又は凸部との係止作用によりダボの左右方向への抜け止めがなされる。従って、ダボが棚板取付具に対して相対的に上下左右方向に移動した場合であっても、その脱落を確実に阻止することができる。このため、例えば、棚装置を移動させる際等に側板に外側方向の荷重が付与され、側板が大きく撓み、側板と棚板の側端面との間に隙間を生じようとする場合であっても、ダボが棚板取付具から脱落することが防止され、棚板が側板から外れることを防止できる。
【図面の簡単な説明】
【００１３】
【図１】図１は、本発明の一実施形態に係る棚装置の斜視図である。
【図２】図２は、図１に示す棚装置に設けられる棚板の一端側を下面側から見た要部拡大斜視図である。
【図３】図３は、棚板取付具及びこの棚板取付具に係合されるダボの構成を示す分解斜視図である。
【図４】図４は、棚板取付具を構成する本体の構成図であり、図４（Ａ）は、底面図であり、図４（Ｂ）は、図４（Ａ）中のＢ−Ｂ線に沿う正面断面図であり、図４（Ｃ）は、ダボ挿入溝側から見た側面図であり、図４（Ｄ）は、蓋部材が装着される側から見た側面図である。
【図５】図５は、棚板取付具を構成する蓋部材の構成図であり、図５（Ａ）は、底面図であり、図５（Ｂ）は、正面図であり、図５（Ｃ）は、棚板取付具に挿入される先端部側から見た側面図である。
【図６】図６は、棚板取付具の本体に対して蓋部材を組み付け、ダボ挿入溝にダボを係合させた状態を示す説明図であり、図６（Ａ）は、底面図であり、図６（Ｂ）は、正面図である。
【図７】図７は、図６に示す状態から、蓋部材を閉じて棚板取付具とダボとの係合動作を完了した状態を示す説明図であり、図７（Ａ）は、底面図であり、図７（Ｂ）は、正面図である。
【図８】図８は、変形例に係る本体とダボとを係合させた状態を示す底面図である。
【図９】図９は、他の変形例に係る本体とダボとを係合させた状態を示す底面図である。
【図１０】図１０は、変形例に係る棚板取付具を下面側から見た斜視図であり、図１０（Ａ）は、本体に蓋部材を組み付けた状態を示す図であり、図１０（Ｂ）は、図１０（Ａ）に示す状態から本体にダボを係合させた状態を示す図であり、図１０（Ｃ）は、図１０（Ｂ）に示す状態から蓋部材を閉じた状態を示す図である。
【図１１】図１１は、他の変形例に係る棚板取付具の構成図であり、図１１（Ａ）は、底面図であり、図１１（Ｂ）は、ダボ挿入溝側から見た側面図である。
【発明を実施するための形態】
【００１４】
以下、本発明に係る棚板取付具について、この取付具を備える棚装置との関係で好適な実施の形態を挙げ、添付の図面を参照しながら詳細に説明する。
【００１５】
図１は、本発明の一実施形態に係る棚装置１０の斜視図であり、図２は、図１に示す棚装置１０に設けられる棚板１２の一端側を下面側から見た要部拡大斜視図である。棚装置１０は、各棚板１２の下面に設けた棚板取付具１４により、左右の側板１６，１６間に複数段の棚板１２を取付可能且つ取外可能に構成される。本実施形態では、棚装置１０として、各棚板１２上に本１８等を載置する書棚を例示するが、棚装置１０は、書棚以外のもの、例えば、机や各種収納棚や陳列棚等に対しても適用可能である。
【００１６】
図１及び図２に示すように、棚装置１０は、床面上に立脚される左右一対の側板１６，１６と、側板１６，１６間の上端部間及び下端部間に設けられる天板２０及び基台２２とからなる棚本体と、左右の側板１６，１６間に上下方向に沿って複数段（本実施形態では３段）設置可能な棚板１２とを備え、側板１６，１６間の背面側には後面板２４が設置されている。図１から明らかなように、本実施形態に係る棚装置１０は、３段の棚板１２と基台２２の上面とにより、上下方向に４段の載置棚（収納棚）を有する。勿論、棚板１２の設置数は適宜変更可能であり、また、側板も左右一対のみならず左右方向に３枚以上を立設した構成等であってもよい。
【００１７】
以下、図１に示す棚装置１０を正面側から見た方向で、手前側（正面側）を前方、奥側（背面側）を後方、横方向をそれぞれ左右方向と規定して各要素の構成及び位置関係を説明する。
【００１８】
図１に示すように、側板１６，１６の互いに対向する内側面には、上下方向に沿って所定間隔で複数のダボ取付穴１６ａがその前後方向で一対設けられている。ダボ取付穴１６ａは、棚板１２を固定・支持するための金具（ピン）であるダボ（棚受け具）２６を取り付けるための穴である。ダボ取付穴１６ａによって棚板１２の上下方向での取付位置を適宜規定することができる。
【００１９】
図３は、棚板取付具（棚受け部材）１４及びこの棚板取付具１４に係合されるダボ２６の構成を示す分解斜視図である。
【００２０】
図３に示すように、ダボ２６は、側板１６のダボ取付穴１６ａに螺入される基端側のねじ部２６ａから先端側に向かって順に、受け部２６ｂと、くびれ部（凹部）２６ｃと、頭部２６ｄとが形成された段付きピン形状の部材であり、汎用の部材を利用できる。受け部２６ｂは、ねじ部２６ａより多少大径に形成されたリング状部分である。くびれ部２６ｃは、受け部２６ｂと頭部２６ｄとの間で外周面を周方向に窪ませた円環状の溝部であり、頭部２６ｄ側の側面がテーパ形状となっている（図６も参照）。また、図６に示すように、頭部２６ｄには、ねじ部２６ａをダボ取付穴１６ａに螺入させる際に、ドライバ等の工具を係合させるための工具係合溝２６ｅが形成されている。
【００２１】
図２に示すように、棚板１２の下面１２ａの左右端には、それぞれ前後一対で円弧状の取付穴２８が形成されており、この取付穴２８に棚板取付具１４が嵌入される。取付穴２８は、その内径の最大部位より小径な側方部位が、棚板１２の左右の側端面１２ｂに臨んで開口している。
【００２２】
このような取付穴２８に埋設され、ダボ２６と係合する棚板取付具１４は、図２及び図３に示すように、取付穴２８に嵌入配置される本体３０と、本体３０の摺動溝３２にスライド可能に係合される蓋部材（スライド蓋）３４とを備える。これら本体３０及び蓋部材３４は、例えば樹脂製材料によって形成される。
【００２３】
図３及び図４（Ａ）〜図４（Ｄ）に示すように、本体３０は、ダボ２６の側板１６からの突出方向である左右方向に沿って中央部を貫くと共に、下面及び左右端面が開口する側面視アーチ状の凹溝部３６と、棚板１２の取付穴２８に嵌入され、周方向の段差が上下方向に複数段形成されることで抜け止め機能が付与された嵌入部３８と、嵌入部３８が取付穴２８に嵌入された際に棚板１２の下面１２ａ上に着地する円板状のフランジ部４０とを有する。
【００２４】
凹溝部３６には、下方が開口し、この下方の開口からダボ２６が挿入される上下方向のダボ挿入溝（ダボ挿入孔）４２と、当該凹溝部３６の互いに対向する内面の高さ方向略中央部から内側に突出した水平方向の突部４４，４４とが形成されている。突部４４により、凹溝部３６の内面が上下方向に仕切られ、前後の摺動溝３２，３２がそれぞれ画成されている。凹溝部３６の側板１６側の端面には、棚板取付具１４が取付穴２８に嵌入された状態で、棚板１２の側端面１２ｂと面一になるアーチ状の側端面３６ａが形成されている（図２参照）。つまり、本体３０において、嵌入部３８は取付穴２８に嵌入可能な平面視円弧状に構成され、棚板１２の側端面１２ｂと面一となる位置が鉛直平面で切断されることで側端面３６ａが形成されている。
【００２５】
ダボ挿入溝４２には、ダボ２６が下方の開口から上方に向かって挿入された場合にダボ２６の受け部２６ｂを受け止めるアーチ状の受け面４２ａと、受け面４２ａの側部に隣接し、ダボ挿入溝４２の内面から内側に突出したアーチ状のリブ（凸部、突出部、ストッパ）４２ｂとが設けられている。リブ４２ｂの側方（摺動溝３２側）の部位は、ダボ２６の頭部２６ｄの根元に形成されたテーパ面と対応可能なテーパ形状となっており、その両側部には、下部から上部へと摺動溝３２側に向かって傾斜しつつ幅広となる傾斜部４２ｃが形成されている（図４（Ａ）及び図４（Ｂ）参照）。
【００２６】
一方、図３及び図５（Ａ）〜図５（Ｃ）に示すように、本体３０にスライド可能に係合される蓋部材３４は、前後の摺動溝３２，３２に係合する前後一対の摺動突部３４ａ，３４ａと、凹溝部３６の下面開口３６ｂに摺接して案内される平面視矩形状のガイド部３４ｂと、ガイド部３４ｂの下面から下方に突出した頂部円弧状の操作突起３４ｃとを有する。
【００２７】
蓋部材３４のスライド方向でガイド部３４ｂの先端部３４ｄは、リブ４２ｂ側部のテーパ形状に対応した先細り形状（面取り形状）となっている（図６（Ａ）及び７（Ａ）も参照）。また、蓋部材３４の上面（操作突起３４ｃ側と反対側）には、ダボ挿入溝４２と対向する円弧状凹部３４ｅがスライド方向に沿って延在形成されている（図３及び図５（Ｃ）参照）。円弧状凹部３４ｅは、ダボ挿入溝４２の円弧状の天面と対向する円弧状の底面を構成し、ダボ挿入溝４２と共にダボ２６を保持するための円弧状空間を画成する。
【００２８】
次に、以上のように構成される棚装置１０において、側板１６の内側面から突出したダボ２６に対し、棚板取付具１４を介して棚板１２を架設する方法について、主に図６及び図７を参照して説明する。
【００２９】
図６は、棚板取付具１４の本体３０に対して蓋部材３４を組み付け、ダボ挿入溝４２にダボ２６を係合させた状態を示す説明図であり、図７は、図６に示す状態から、蓋部材３４を閉じて棚板取付具１４とダボ２６との係合動作を完了した状態を示す説明図である。
【００３０】
先ず、各側板１６，１６の所望の高さ位置に形成された前後左右４箇所のダボ取付穴１６ａに対してねじ部２６ａを螺合し、ダボ２６を側板１６の内側面から突出させる。
【００３１】
次に、図２、図６（Ａ）及び図６（Ｂ）に示すように、本体３０の摺動溝３２に蓋部材３４を組み付けた棚板取付具１４を棚板１２の取付穴２８に嵌入し、ダボ挿入溝４２の側方開口を棚板１２の側端面１２ｂ側に露出させた状態とする。この際、蓋部材３４は、その基端面が本体３０のフランジ部４０の基端部と略一致した退動位置としておき、ダボ挿入溝４２の下面が開口した状態に設定しておく。この状態で、くびれ部２６ｃをリブ４２ｂに対応する位置として、ダボ２６をダボ挿入溝４２内へと下方から挿入する。これにより、ダボ２６のくびれ部２６ｃがリブ４２ｂに係合すると共に、受け部２６ｂが受け面４２ａに当接し、ダボ２６が棚板取付具１４に係合され、棚板１２が左右の側板１６，１６間に仮架設される。
【００３２】
続いて、操作突起３４ｃを掴んで蓋部材３４を摺動溝３２に沿って最後まで進動させる。そうすると、図７（Ａ）及び図７（Ｂ）に示すように、ダボ挿入溝４２の下面開口が蓋部材３４によって塞がれ、ダボ挿入溝４２内に挿入されているダボ２６の頭部２６ｄの下方が蓋部材３４によって覆われる（図２も参照）。この状態では、ダボ２６の頭部２６ｄが、本体３０のダボ挿入溝４２と、蓋部材３４の円弧状凹部３４ｅとによって形成された側面視円弧状の空間内で挟持・保持される。
【００３３】
従って、ダボ２６は、くびれ部２６ｃとリブ４２ｂとの係合作用により、ダボ２６の突出方向（左右方向）で棚板取付具１４から抜け止めされると共に、棚板取付具１４（棚板１２）のダボ２６に対する左右方向へのガタツキも抑えられる。さらに、ダボ挿入溝４２の内面と、蓋部材３４の円弧状凹部３４ｅとにより、ダボ２６の頭部２６ｄが挟持されて保持されるため、ダボ２６は上下方向でも棚板取付具１４から抜け止めされると共に、棚板取付具１４（棚板１２）のダボ２６に対する上下方向へのガタツキも抑えられる。そして、このような棚板取付具１４とダボ２６との係合動作を棚板１２に設けた各棚板取付具１４について実施することにより、棚板取付具１４（棚板１２）をダボ２６（側板１６）に対して、上下左右にガタツキなく、また上下左右に脱落防止した状態で架設することができる。
【００３４】
この際、ダボ２６の頭部２６ｄが配置されるリブ４２ｂの側方（摺動溝３２側）の部位には、上部が摺動溝３２側に向かって傾斜した傾斜部４２ｃが形成されている（図４（Ｂ）参照）。従って、ダボ２６のくびれ部２６ｃと棚板取付具１４のリブ４２ｂとが係合した状態で、棚板１２に下方への荷重が付与された場合には、図７（Ｂ）に示すように、ダボ２６の頭部２６ｄが傾斜部４２ｃを昇りながら、該傾斜部４２ｃから引寄せられる方向、つまり棚板１２がダボ２６を引寄せる方向の力が作用するため、ダボ２６とリブ４２ｂとの係合状態が一層強固に維持される。すなわち、棚板１２に本１８等を載置した状態では、傾斜部４２ｃによる頭部２６ｄの引き寄せ作用により、ダボ２６とリブ４２ｂとの係合状態がより強固に維持されるため、棚板取付具１４からのダボ２６の抜け止め効果を一層向上させることができる。
【００３５】
以上のように、本実施形態に係る棚板取付具１４は、下方が開口し、ダボ２６が挿入される上下方向のダボ挿入溝４２と、ダボ２６の突出方向（左右方向）にスライド可能に設けられ、ダボ挿入溝４２の下方の開口を塞ぐことで該ダボ挿入溝４２の下方からのダボ２６の脱落を阻止する蓋部材３４とを備え、棚板１２に設置されることにより、棚装置１０の側板１６の内側面より突出するダボ２６と係合し、左右の側板１６，１６間に棚板１２を架設するものである。そして、ダボ２６の外面には、凹部であるくびれ部２６ｃが設けられる一方、当該棚板取付具１４は、ダボ挿入溝４２に挿入されたダボ２６が少なくとも棚板１２から離間する方向、つまり棚板１２と側板１６とが離間する方向に移動した際にダボ２６のくびれ部２６ｃを係止し、ダボ挿入溝４２からのダボ２６の脱落を阻止する凸部であるリブ４２ｂを有する。
【００３６】
このように、棚板取付具１４は、ダボ１４が挿入されるダボ挿入溝４２の開口を塞ぐ蓋部材３４と、ダボ２６が棚板１２から離間する方向に移動した際にダボ２６のくびれ部２６ｃを係止するリブ４２ｂとを備える。従って、蓋部材３４によりダボ挿入溝４２の開口をロックしてダボ２６の上下方向への抜け止めがなされると同時に、リブ４２ｂによりダボ２６の左右方向への抜け止めがなされるため、ダボ２６が棚板取付具１４に対して相対的に上下左右方向に移動した場合であっても、その脱落を確実に阻止することができる。このため、例えば、棚装置１０を移動させる際等に側板１６に外側方向の荷重が付与され、側板１６が大きく撓み、側板１６と棚板１２の側端面１２ｂとの間に隙間を生じようとした場合であっても、ダボ２６が棚板取付具１４から脱落することが防止され、棚板１２が側板１６外れることを防止できる。
【００３７】
上記では、凹部であるくびれ部２６ｃをダボ２６に設け、該凹部と係合する凸部であるリブ４２ｂを棚板取付具１４に設けたが、ダボ２６とダボ挿入溝４２とは、少なくともダボ２６が棚板１２から離間する際に抜け止めがなされるように、ダボ２６の突出方向に交差する方向の係合構造が設けられていればよく、その凹凸形状は適宜変更可能である。
【００３８】
例えば、図８に示すように、ねじ部２６ａから同径で延びる受け部２７ａの先に頭部２６ｄを設けた形状のダボ２７を用いてもよい。この場合、棚板取付具１４の本体３０には、リブ４２ｂの傾斜面４２ｃと同様な凹部４３ａを設け、受け部２７ａを挿入可能なダボ挿入溝４３を設けておくとよい。そうすると、凸部である頭部２６ｄが凹部４３ａに引っ掛かり、その下面側が蓋部材３４によって蓋されるため、ダボ２７の上下方向及び左右方向への抜け止めがなされる。なお、図８から明らかなように、ダボ２７とダボ挿入溝４３とは、本体３０がダボ２７のねじ部２６ａに向かう方向に移動しようとしても、本体３０の側端面３６ａがすぐに側板１６の内側面に当接するため、ダボ２７の抜け止めは実質的に左右両方向に図られている。
【００３９】
また、図９に示すように、ねじ部２６ａと頭部２９ａとを同径とし、その途中に円環状凸部２９ｂを突出形成した形状のダボ２９を用いてもよい。この場合、棚板取付具１４の本体３０には、アーチ状の凹部４５ａを有するダボ挿入溝４５を設けておくとよい。そうすると、凸部である円環状凸部２９ｂが凹部４５ａに引っ掛かり、また頭部２９ａの下面側が蓋部材３４によって蓋されるため、ダボ２９の上下方向及び左右方向への抜け止めがなされる。
【００４０】
図２に示すように、棚板１２の下面１２ａには、円弧状部位（規制部位）を有する取付穴２８が形成され、棚板取付具１４は、取付穴２８に嵌入可能な円弧状部位（規制部位）である嵌入部３８を有する。これにより、ダボ２６と棚板取付具１４とが係合した状態で、側板１６が外側方向に撓む等し、ダボ２６から棚板取付具１４に外側方向の荷重が付与された場合であっても、取付穴２８の円弧状部位と嵌入部３８の円弧状部位とにより、棚板取付具１４が取付穴２８の側端面１２ｂ側の開口から脱落することを確実に防止できる。つまり、嵌入部３８を構成する円弧状部位が、棚板取付具１４が取付穴２８に嵌入された状態で、ダボ２６の突出方向（左右方向）への当該棚板取付具１４の移動を規制する規制部位として機能する。本実施形態では、取付穴２８からの棚板取付具１４の抜け止めを円弧状部位で構成したことにより、例えば木材で形成される棚板１２への取付穴２８の加工が容易で、製造コストを抑えることができる。
【００４１】
取付穴２８からの棚板取付具１４の抜け止め構造の別の構成例を図１０に示す。図１０は、棚板取付具１４の変形例に係る棚板取付具５０を下面側から見た斜視図である。棚板取付具５０は、棚板取付具１４と比べて、やや直方体形状に構成された本体５２を備え、ダボ挿入溝４２の受け面４２ａが省略されている以外は、棚板取付具１４と略同様な構成である。棚板取付具５０において、嵌入部３８は、一部に円弧状部位（規制部位）３８ａが膨出形成されることにより、棚板１２の取付穴からの抜け止めがなされる。勿論、棚板取付具５０を取り付ける棚板１２側の取付穴（図示せず）は、一部に円弧状部位３８ａを有し、残部が直線状に形成された嵌入部３８と対応する形状の穴とすればよい。
【００４２】
従って、棚板取付具５０の場合にも、図１０（Ａ）に示すように、蓋部材３４を本体５２の摺動溝３２に係合させて組み付けた状態で、図１０（Ｂ）に示すように、リブ４２ｂにくびれ部２６ｃを対応させた位置でダボ２６をダボ挿入溝４２に挿入する。そして、図１０（Ｃ）に示すように、蓋部材３４をスライドさせて、ダボ２６の頭部２６ｄを蓋することにより、ダボ２６の上下方向及び左右方向への抜け止めを行なうことができる。また、円弧状部位３８ａにより、棚板取付具５０が前記取付穴から脱落することも阻止できる。
【００４３】
勿論、取付穴２８からの棚板取付具１４（５０）の抜け止めとして機能する規制部位は、上記のような円弧状部位以外であってもよく、一方に矩形等の凸部を設け、他方に該凸部と係合する凹部を設けた構成としてもよいが、棚板１２への取付穴２８の加工の容易性や、取付穴２８への棚板取付具１４（５０）の嵌め込み易さ等を考慮した場合には、円弧状部位を設けた構成が有効となる。
【００４４】
なお、上記では、棚板取付具１４（５０）を棚板１４の前後左右で合計４箇所に取り付ける構成を例示したが、棚板取付具１４（５０）は、棚板１２の左右にそれぞれ１つずつ設けられれば、ダボ２６（２７，２９）の棚板１２からの抜け止めとしては十分である。例えば、棚板１２の左右の前部のみに棚板取付具１４（５０）を設け、後部は従来構成の棚板取付具や、単にダボ上に棚板に形成した凹部を載置する構成等としてもよい。
【００４５】
さらに、棚板取付具１４（５０）を棚板１２の左右のいずれか一方のみに設け、他の３箇所のダボ２６に対応する部位のうち、棚板取付具１４（５０）と反対側に位置する１箇所に、図１１に示すような棚板取付具６０を設けた構成としてもよい。
【００４６】
図１１（Ａ）及び図１１（Ｂ）に示すように、棚板取付具６０は、例えば、棚板取付具１４の本体３０と同様な平面視円弧形状であり、側端面３６ａ側に鍵穴状のダボ挿入溝（ダボ挿入穴）６２が開口している。ダボ挿入溝６２は、棚板１２に取り付けた状態で上部となる位置の挿入穴６２ａと、挿入穴６２ａの下方から連通形成され、挿入穴６２ａより小径（狭幅）な係止用長孔６２ｂとを有し、ダボ挿入溝６２の少なくとも一部は、その下面側が閉塞されている。
【００４７】
従って、図１１（Ｂ）に示すように、先ず、ダボ２６の頭部２６ｄを挿入穴６２ａに挿入し、次に、ダボ２６に対して棚板１２（棚板取付具１４）を下降させることにより、ダボ２６のくびれ部２６ｃが係止用長孔６２ｂに挿入され（図１１（Ｂ）中に２点鎖線で示すくびれ部ｃ及び頭部２６ｄ参照）、ダボ２６の左右方向への抜け止めがなされ、同時にダボ２６の上下方向への抜け止めもなされる。このように、棚板取付具６０では、棚板取付具１４，５０のように蓋部材３４が不要となり、上下方向には多少がたつくが、構成が簡素でありながらもダボ２６の上下左右方向への抜け止めができる。このため、棚板１２のダボ２６への４箇所の取付位置のうち、例えば、左右の一方の前部に棚板取付具１４（５０）を設け、左右の他方の前部に棚板取付具６０を設けることにより、棚装置１０のコストを一層低減することができる。
【００４８】
なお、本発明は、上記した実施形態に限定されるものではなく、本発明の主旨を逸脱しない範囲で自由に変更できることは勿論である。
【符号の説明】
【００４９】
１０  棚装置
１２  棚板
１２ａ  下面
１２ｂ，３６ａ  側端面
１４，５０，６０  棚板取付具
１６  側板
１６ａ  ダボ取付穴
２６，２７，２９  ダボ
２６ａ  ねじ部
２６ｂ，２７ａ  受け部
２６ｃ  くびれ部
２６ｄ，２９ａ  頭部
２８  取付穴
３０，５２  本体
３２  摺動溝
３４  蓋部材
３６  凹溝部
３８  嵌入部
４２，４３，４５，６２  ダボ挿入溝
４２ａ  受け面
４２ｂ  リブ
４２ｃ  傾斜面
４３ａ，４５ａ  凹部
【図１】
2015012925.tif 000003
【図２】
2015012925.tif 000004
【図３】
2015012925.tif 000005
【図４】
2015012925.tif 000006
【図５】
2015012925.tif 000007
【図６】
2015012925.tif 000008
【図７】
2015012925.tif 000009
【図８】
2015012925.tif 000010
【図９】
2015012925.tif 000011
【図１０】
2015012925.tif 000012
【図１１】
2015012925.tif 000013